(57)【特許請求の範囲】
【請求項１】
携帯用情報機器の筐体に設けられた機器接続用の既設の接続ポートに対して接続可能な接続部と、
ペンを保持可能なペン保持部と、
を備え、
前記接続部と前記ペン保持部とは、一定の外力が作用した場合に分離する連結構造で互いに連結されていることを特徴とするペンホルダ。
【請求項２】
請求項１記載のペンホルダにおいて、
前記筐体は、その側面に前記接続ポートが設けられた平板形状を有し、
前記ペン保持部は、少なくとも前記ペンを前記筐体の側面に沿って保持する第１姿勢と、前記ペンを前記第１姿勢とは異なる角度で保持する第２姿勢とで前記ペンを保持可能な姿勢変更部を有することを特徴とするペンホルダ。
【請求項３】
請求項２記載のペンホルダにおいて、
前記ペン保持部は、前記接続部を前記接続ポートに接続した状態で、前記ペンをペン先から挿入することによって該ペンを前記第１姿勢で保持可能な第１保持孔と、該第１保持孔に対するペンの挿入方向と交差する方向にペン先を挿入することで該ペンを前記第２姿勢で保持可能な第２保持孔とを有することを特徴とするペンホルダ。
【請求項４】
請求項２記載のペンホルダにおいて、
前記ペン保持部は、前記接続部を前記接続ポートに接続した状態で、前記接続部に対して相対的に回動することで前記ペンを複数の角度姿勢に保持可能な回動機構を有することを特徴とするペンホルダ。
【請求項５】
請求項１〜４のいずれか１項に記載のペンホルダにおいて、
前記接続ポートは、ＵＳＢ規格に準拠した雌コネクタであることを特徴とするペンホルダ。
【請求項６】
携帯用情報機器の筐体に設けられた機器接続用の既設の接続ポートに対して接続可能な接続部と、
ペンを保持可能なペン保持部と、
を備え、
前記接続ポートは、前記携帯用情報機器に対する盗難防止具の接続口であることを特徴とするペンホルダ。
【請求項７】
請求項６記載のペンホルダにおいて、
前記ペン保持部には、前記接続部を前記接続口に接続した状態で、前記盗難防止具を接続可能な接続口が設けられていることを特徴とするペンホルダ。
【請求項８】
請求項７記載のペンホルダにおいて、
前記ペン保持部に設けられた接続口に前記盗難防止具が接続されてロックされた場合に、前記接続部の前記接続ポートからの離脱を阻止するロック機構を備えることを特徴とするペンホルダ。
【請求項９】
請求項１〜８のいずれか１項に記載のペンホルダと、該ペンホルダで保持可能なペンを入力手段として利用可能な前記携帯用情報機器とを備えることを特徴とする電子機器。 
【発明の詳細な説明】
【技術分野】
【０００１】
本発明は、携帯用情報機器に対して接続されてペンを保持するペンホルダ及び該ペンホルダと携帯用情報機器とを備える電子機器に関する。
【背景技術】
【０００２】
ノートブック型パーソナルコンピュータ（ノート型ＰＣ）、タブレット型パーソナルコンピュータ（タブレット型ＰＣ）及びスマートフォン等の携帯用情報機器では、入力デバイスとしてデジタイザペン等のペンを用いることがある。
【０００３】
従来、携帯用情報機器の筐体にペン挿入孔を開口形成し、この内部にペンを挿入保持することで筐体内にペンを収容する構成のペンホルダが広く利用されている（例えば特許文献１参照）。
【先行技術文献】
【特許文献】
【０００４】
【特許文献１】特開２００９−２８９０４５号公報
【発明の概要】
【発明が解決しようとする課題】
【０００５】
ところで、上記従来構造のペンホルダは、ペンの挿入孔のためのスペースを携帯用情報機器の筐体内に確保する必要があるが、近年、小型化・薄型化が進んだ携帯用情報機器ではその確保が難しい。
【０００６】
そこで、ペンを保持するペンホルダを携帯用情報機器の筐体側部に設けることが考えられるが、例えばペンホルダを筐体に一体構造とすると、ペン不要時にペンホルダが邪魔になると共に筐体も専用設計となって汎用性に劣る。また、例えばペンホルダを筐体に着脱可能な構造とすると、ペン不要時にはペンホルダを取外すことができて利便性が高いが、筐体にペンホルダ接続用の接続口を新たに設ける必要があり、筐体が専用設計になるばかりか設置スペースの確保の問題を残すことになる。
【０００７】
本発明は、上記従来技術の課題を考慮してなされたものであり、携帯用情報機器の小型化・薄型化に影響を及ぼすことなくペンを保持することができ、しかも高い汎用性を得ることができるペンホルダ及び該ペンホルダと携帯用情報機器とを備える電子機器を提供することを目的とする。
【課題を解決するための手段】
【０００８】
本発明に係るペンホルダは、携帯用情報機器の筐体に設けられた機器接続用の既設の接続ポートに対して接続可能な接続部と、ペンを保持可能なペン保持部とを備えることを特徴とする。
【０００９】
このような構成によれば、通常、一般的なノート型ＰＣ等の携帯用情報機器に標準で設けられている既設の接続ポートを利用してペンホルダを設けることができる。これにより、携帯用情報機器の小型化・薄型化に影響を及ぼすことなくペンを保持することができるようになる。しかも、ペンホルダは、同種の接続ポートを備えた携帯用情報機器であれば利用することができるため、高い汎用性を得ることができる。
【００１０】
前記筐体は、その側面に前記接続ポートが設けられた平板形状を有し、前記ペン保持部は、少なくとも前記ペンを前記筐体の側面に沿って保持する第１姿勢と、前記ペンを前記第１姿勢とは異なる角度で保持する第２姿勢とで前記ペンを保持可能な姿勢変更部を有する構成であってもよい。そうすると、携帯用情報機器を使用中であるか否かの状況やユーザの好みに応じた角度姿勢でペンを保持することができ、利便性が一層高くなる。
【００１１】
前記ペン保持部は、前記接続部を前記接続ポートに接続した状態で、前記ペンをペン先から挿入することによって該ペンを前記第１姿勢で保持可能な第１保持孔と、該第１保持孔に対するペンの挿入方向と交差する方向にペン先を挿入することで該ペンを前記第２姿勢で保持可能な第２保持孔とを有する構成であってもよい。これにより、ペンを第１保持孔と第２保持孔に差し替えるだけでその保持姿勢を変更できる。
【００１２】
前記ペン保持部は、前記接続部を前記接続ポートに接続した状態で、前記接続部に対して相対的に回動することで前記ペンを複数の角度姿勢に保持可能な回動機構を有する構成であってもよい。これにより、ペンを保持した回動機構を動作させるだけでその保持姿勢を変更できる。
【００１３】
前記接続部と前記ペン保持部とは、一定の外力が作用した場合に分離する連結構造で互いに連結されている構成であってもよい。そうすると、ペンホルダにペンを保持した状態で大きな負荷を加えてしまった場合には接続部とペン保持部とが分離するため、ペンホルダ及び接続ポートが破損することを回避できる。
【００１４】
前記接続ポートは、ＵＳＢ規格に準拠した雌コネクタであってもよい。
【００１５】
前記接続ポートは、前記携帯用情報機器に対する盗難防止具の接続口であってもよい。
【００１６】
この場合、前記ペン保持部には、前記接続部を前記接続口に接続した状態で、前記盗難防止具を接続可能な接続口が設けられていてもよい。そうすると、ペンホルダで盗難防止具の接続口を使用した状態であっても盗難防止具を利用することができる。
【００１７】
前記ペン保持部に設けられた接続口に前記盗難防止具が接続されてロックされた場合に、前記接続部の前記接続ポートからの離脱を阻止するロック機構を備える構成であってもよい。これにより、ペンホルダを使用しつつ盗難防止具を確実にロックすることができる。
【００１８】
また、本発明に係る電子機器は、上記構成のペンホルダと、該ペンホルダで保持可能なペンを入力手段として利用可能な前記携帯用情報機器とを備えることを特徴とする。
【発明の効果】
【００１９】
本発明によれば、通常、一般的なノート型ＰＣ等の携帯用情報機器に標準で設けられている既設の接続ポートを利用してペンホルダを設けることができる。これにより、携帯用情報機器の小型化・薄型化に影響を及ぼすことなくペンを保持することができるようになる。しかも、ペンホルダは、同種の接続ポートを備えた携帯用情報機器であれば利用することができるため、高い汎用性を得ることができる。
【図面の簡単な説明】
【００２０】
【図１】図１は、本発明の第１の実施形態に係るペンホルダを携帯用情報機器に対して接続する状態を示す分解斜視図である。
【図２】図２は、第１の実施形態に係るペンホルダの斜視図である。
【図３】図３は、図２に示すペンホルダの分解斜視図である。
【図４】図４は、図１に示すペンホルダでペンを保持した状態を示す側面図であり、図４（Ａ）は、横保持孔を用いてペンを保持した状態を示す図であり、図４（Ｂ）は、縦保持孔を用いてペンを保持した状態を示す図である。
【図５】図５は、本発明の第２の実施形態に係るペンホルダを携帯用情報機器に接続する状態を示す一部分解斜視図である。
【図６】図６は、図５に示すペンホルダを携帯用情報機器に接続した後、盗難防止具を接続する状態を示す一部分解斜視図である。
【図７】図７は、ペンホルダの内部構造を模式的に示す断面図であり、図７（Ａ）は、ペンホルダの初期状態を示す図であり、図７（Ｂ）は、ペンホルダの接続状態を示す図である。
【図８】図８は、初期状態のペンホルダを携帯用情報機器の接続口に挿入した状態を示す斜視説明図である。
【図９】図９は、図８に示すペンホルダの内部構造を示す斜視説明図である。
【図１０】図１０は、図９に示す状態からペンホルダを回転操作して接続状態とした状態を示す斜視説明図である。
【図１１】図１１は、図１０に示す状態から盗難防止具をペンホルダに接続した状態を示す斜視説明図である。
【図１２】図１２は、本発明の第３の実施形態に係るペンホルダの構成を示す分解斜視図である。
【図１３】図１３は、図１２に示すペンホルダを携帯用情報機器の接続口に接続する動作を示す図であり、図１３（Ａ）は、ペンホルダを接続口に接続する状態を示す図であり、図１３（Ｂ）は、図１３（Ａ）に示す状態からペンホルダの接続部を接続口に挿入した状態を示す図であり、図１３（Ｃ）は、図１３（Ｂ）に示す状態からペンホルダを回転させて接続状態とした状態を示す図である。
【図１４】図１４は、図１２に示すペンホルダのロック動作及びロック解除動作の構成例を模式的に示した断面図であり、図１４（Ａ）は、初期状態を示す図であり、図１４（Ｂ）は、ロック動作が行われて接続状態となった状態を示す図である。
【発明を実施するための形態】
【００２１】
以下、本発明に係るペンホルダについて、このペンホルダを備える電子機器を例示して好適な実施の形態を挙げ、添付の図面を参照しながら詳細に説明する。
【００２２】
図１は、本発明の第１の実施形態に係るペンホルダ１０を携帯用情報機器１２に対して接続する状態を示す分解斜視図であり、ペンホルダ１０と携帯用情報機器１２とを備える電子機器１４の構成例を示している。ペンホルダ１０は、例えばデジタイザペンと呼ばれるペン１６を入力デバイスとして利用可能な携帯用情報機器１２の筐体１８の一側面に接続して使用される。本実施形態では、ペンホルダ１０を携帯用情報機器１２としてのノート型ＰＣに接続して使用する構成を例示するが、ペンホルダ１０は、タブレット型ＰＣ、携帯電話、スマートフォン又は電子手帳等の各種携帯用情報機器に対して使用可能である。
【００２３】
以下、携帯用情報機器１２について、図１における手前側を前側（前方）、奥側を後側（後方）と呼び、筐体１８の厚み方向を上下方向、幅方向を左右方向と呼んで説明する。また、ペンホルダ１０についても図１に示すように携帯用情報機器１２の右側面に接続された状態を基準とし、携帯用情報機器１２の場合と同様に呼んで説明するが、携帯用情報機器１２の右側面に対して接続する方向を先端側、その反対方向を基端側とも呼ぶ。
【００２４】
図１に示すように、携帯用情報機器１２は、平板形状の筐体１８に対し、ヒンジ２０を介して開閉可能に連結された蓋体２２を備える。筐体１８の上面にはキーボード２４が設けられ、蓋体２２の前面（内面）にはペン１６でタッチ操作可能なディスプレイ２６が設けられている。
【００２５】
筐体１８の側面には、ＵＳＢ（Ｕｎｉｖｅｒｓａｌ  Ｓｅｒｉａｌ  Ｂｕｓ）規格に準拠した雌コネクタ（接続ポート）２８が、例えば２個設けられている。雌コネクタ２８は、外付けのＨＤＤ装置、メモリ装置又はプリンタ等、各種の周辺機器の接続用であり、一般的なノート型ＰＣである携帯用情報機器１２に通常設置されている既設の接続ポートである。また、筐体１８の側面後端部には、例えば鍵式ワイヤーケーブルである盗難防止具３０（図６参照）のための接続口３２が設けられている。接続口３２は、セキュリティ性能を重視したノート型ＰＣである携帯用情報機器１２に通常設置されている既設の接続ポートであり、例えば筐体１８の側壁に矩形の孔部を開口形成したものである。
【００２６】
図２は、第１の実施形態に係るペンホルダ１０の斜視図であり、図３は、図２に示すペンホルダ１０の分解斜視図である。
【００２７】
図１に示すように、ペン１６は、長尺且つ細径な円柱形状であって先細りテーパ形状に形成されたペン先１６ａを有する。ペン１６は、人手によって把持されて携帯用情報機器１２の入力デバイスとして使用されるデジタイザペンである。
【００２８】
ペンホルダ１０は、携帯用情報機器１２の側面に設けられた既設の雌コネクタ２８に接続して使用するものである（図１及び図４参照）。図２及び図３に示すように、ペンホルダ１０は、雌コネクタ２８に対して接続可能な接続部３４と、ペン１６を保持可能なペン保持部３６とを備える。
【００２９】
接続部３４は、雌コネクタ２８に対して接続可能な雄コネクタ形状であり、具体的にはＵＳＢ規格に準拠した雄コネクタの形状を模した樹脂製部品である。本実施形態の場合、接続部３４は、一般的なＵＳＢ規格の雄コネクタのような矩形のカバー部材（メタルシェル）を持たず、その内部に設けられる端子を保持した板状部材のみを模した構造となっている。そこで、雌コネクタ２８への接続強度を高めるため、接続部３４には雌コネクタ２８への接続方向に沿ったスリット３４ａを一対形成し、両側部を拡幅方向に付勢する弾性を持たせている。これにより、雌コネクタ２８内の内壁面に対して接続部３４の両側部が弾性的に付勢されるため、雌コネクタ２８への接続強度が増加し、意図しない脱落等も抑制される。
【００３０】
ペン保持部３６は、丸みを帯びた矩形筒状に形成され、携帯用情報機器１２の筐体１８の側面に沿う前後方向に貫通した横保持孔（第１保持孔）３６ａと、横保持孔３６ａに対して直交するように上面に開口した縦保持孔（第２保持孔）３６ｂとを有する。ペン保持部３６は、例えばゴム材料で形成されている。横保持孔３６ａ及び縦保持孔３６ｂは、ペン１６の保持姿勢を変更する姿勢変更部となる。すなわち、横保持孔３６ａにペン１６をペン先１６ａ側から挿入すると、ペン１６を筐体１８の側部で前後方向に沿った水平姿勢で保持することができる（図４（Ａ）参照）。縦保持孔３６ｂにペン１６のペン先１６ａを挿入すると、ペン１６を筐体１８の側部で上下方向に沿った起立姿勢で保持することができる（図４（Ｂ）参照）。横保持孔３６ａ及び縦保持孔３６ｂと共に又は代えて斜め方向等の保持孔を備えてもよい。
【００３１】
本実施形態のペンホルダ１０は、接続部３４とペン保持部３６とを連結した連結構造で構成されている。すなわち、ペン保持部３６は、その側面に複数の嵌合孔３６ｃを有し、この嵌合孔３６ｃに接続部３４の基端側の取付面３４ｂの裏面に突設された嵌合突起３４ｃが嵌合される（図３参照）。このようなペン保持部３６にペン１６を差し込んで保持した状態で誤ってペン１６に横保持孔３６ａや縦保持孔３６ｂの挿抜方向と異なる方向で一定の外力を与えた際、嵌合孔３６ｃと嵌合突起３４ｃとの嵌合が外れることで接続部３４とペン保持部３６とが分離する。これにより、ペンホルダ１０及び雌コネクタ２８に大きな負荷が加えられて両者が破損することを回避できる。特に、ペン保持部３６は上記の通りゴム材料等によって形成されているため、十分な摩擦力によってペン１６を安定して保持することができると共に、上記した外力が加えられた際にはある程度柔軟に変形して嵌合孔３６ｃを嵌合突起３４ｃから円滑に離脱させることができる。
【００３２】
図５は、本発明の第２の実施形態に係るペンホルダ１０Ａを携帯用情報機器１２に接続する状態を示す一部分解斜視図である。図６は、図５に示すペンホルダ１０Ａを携帯用情報機器１２に接続した後、盗難防止具３０を接続する状態を示す一部分解斜視図である。
【００３３】
図５及び図６に示すように、ペンホルダ１０Ａは、携帯用情報機器１２の側面に設けられた既設の盗難防止具３０用の接続口３２に接続して使用するものである。ペンホルダ１０Ａは、接続口３２に対して接続される接続部４０を有したホルダ本体４２と、ホルダ本体４２に対して回動可能に設けられ、ペン１６を保持可能なペン保持部４４とを備える。
【００３４】
図７は、ペンホルダ１０Ａの内部構造を模式的に示す断面図であり、図７（Ａ）は、ペンホルダ１０Ａの初期状態を示し、図７（Ｂ）は、ペンホルダ１０Ａの接続状態を示す。図８は、初期状態のペンホルダ１０Ａを携帯用情報機器１２の接続口３２に挿入した状態を示す斜視説明図であり、図９は、図８に示すペンホルダ１０Ａの内部構造を示す斜視説明図である。また、図１０は、図８及び図９に示す状態からペンホルダ１０Ａを回転操作して接続状態とした状態を示す斜視説明図であり、図１１は、図１０に示す状態から盗難防止具３０をペンホルダ１０Ａに接続した状態を示す斜視説明図である。
【００３５】
図７〜図９に示すように、ホルダ本体４２は、先端側の接続部４０と基端側の操作部４６とを有し、接続部４０を接続口３２に挿入した状態で操作部４６を９０度回転させることで接続口３２に対して抜け止めされた状態で接続される。ホルダ本体４２は、操作部４６が設けられた円筒状の内筒４８と、内筒４８に内挿され、内筒４８と回転不能な状態で軸方向に相対移動可能な円柱状のスライダ５０と、内筒４８に外挿され、スライダ５０のスライド位置に応じて内筒４８（及びスライダ５０）と相対回転可能に又は回転不能に切り換わる円筒状の外筒５２と、外筒５２に外挿された円筒状の外カバー５３とを有する。これら内筒４８、スライダ５０、外筒５２及び外カバー５３は、同軸上に配置されている。
【００３６】
内筒４８は、基端側に設けられた扁平テーパ状の操作部４６と、操作部４６より小径で操作部４６から同軸で突出した円筒状の内筒基部５４と、内筒基部５４の先端から同軸で突出したＴ字状のキー部５６とを有する。内筒４８には、操作部４６の途中から軸方向に内筒基部５４に穿孔され、内筒基部５４の先端側の底部まで延びた摺動穴４８ａが形成されている（図７（Ａ）参照）。摺動穴４８ａにはスライダ５０が摺動可能に挿入される。
【００３７】
操作部４６は、人手で把持して回転操作する部分であり、その基端面が摺動穴４８ａを蓋すると共に、その中心には矩形の孔部４６ａが開口形成されている（図５〜図７参照）。孔部４６ａは携帯用情報機器１２の接続口３２と同一形状であり、当該ペンホルダ１０Ａによって塞がれた接続口３２を代替し、盗難防止具３０の接続口４６ａとして機能する部分である。内筒基部５４の周壁面には、軸方向に延びた一対の長孔５４ａ，５４ａが軸対称に設けられている。長孔５４ａは、内筒基部５４の壁面を貫通する矩形の孔部であり、内筒基部５４の基端側から先端側に向かって延出されている。キー部５６は、内筒基部５４の底部外壁面の中心から先端側に向かって突出し、その先端に矩形のロック棒５６ａが設けられている。
【００３８】
スライダ５０は、摺動穴４８ａに軸方向に摺動可能に挿入された円柱状のスライダ基部５８と、スライダ基部５８の外周面から垂直方向に突出した一対のアーム部５８ａ，５８ａとを有する（図７（Ａ）参照）。
【００３９】
スライダ基部５８は、摺動穴４８ａの底部との間に配設されたコイルばね等の弾性体６０により、常時操作部４６側に向かって付勢されている。一対のアーム部５８ａ，５８ａは、互いに軸対称に設けられた矩形の棒状部材であり、一方のアーム部５８ａは内筒基部５４の一方の長孔５４ａに挿入され、他方のアーム部５８ａは内筒基部５４の他方の長孔５４ａを挿通する。各アーム部５８ａが各長孔５４ａに挿入されることでスライダ５０が内筒４８に対して回り止めされている。
【００４０】
外筒５２は、内筒基部５４の外周壁面に対して回転可能な状態で外挿される円筒状の外筒基部６２と、外筒基部６２の先端から内筒４８のキー部５６を両側から挟むように突出した一対のガイド片６４，６４を有する。
【００４１】
外筒基部６２の外周面には、Ｌ字状の制御孔６６が形成されている。制御孔６６は、外筒基部６２の外周面の周方向に延在した回転許可部６６ａと、回転許可部６６ａの終端から外筒基部６２の軸方向に延在した回転規制部６６ｂとを有する。制御孔６６には、内筒基部５４の長孔５４ａを挿通したスライダ５０のアーム部５８ａが摺動可能に挿入される。
【００４２】
これにより、アーム部５８ａは、内筒４８（スライダ５０）の軸周りの回転に伴って回転許可部６６ａを始端（図９に示す位置参照）から回転規制部６６ｂ側に向かって周方向に摺動し、回転規制部６６ｂとの交差部分である終端（図１０に示す位置）に到達した状態で盗難防止具３０のロックキー部３０ａによってスライダ５０が押圧された場合に、今度は回転規制部６６ｂを軸方向に摺動する（図７（Ｂ）及び図１１参照）。この回転規制部６６ｂではアーム部５８ａが軸周りの回転が不能な状態で係合しているため、アーム部５８ａを介して内筒４８、スライダ５０及び外筒５２が相対回転不能な状態で一体的に構成される。
【００４３】
各ガイド片６４は、キー部５６のロック棒５６ａの根元位置まで延出している。キー部５６とガイド片６４とは接続部４０を構成する。キー部５６の回転位置により、キー部５６とガイド片６４とは、互いに一体的な板形状を構成する初期位置（アンロック位置）（図７（Ａ）、図８及び図９参照）と、ロック棒５６ａとガイド片６４とが直交して十字状になる接続位置（ロック位置）（図７（Ｂ）、図１０及び図１１参照）とに切り換わる。つまり、スライダ５０のアーム部５８ａが制御孔６６の回転許可部６６ａの始端から終端よりも手前にある場合には接続部４０が初期位置にあり、スライダ５０のアーム部５８ａが制御孔６６の回転規制部６６ｂにある場合には接続部４０が接続位置にある。
【００４４】
外カバー５３は、外筒５２の外周面を覆うように該外筒５２に対して回り止めされた状態で外挿される。外カバー５３の外周面には、一段小径に形成された環状溝部５３ａが軸方向に亘って形成されている。
【００４５】
ペン保持部４４は、外カバー５３の環状溝部５３ａにある程度の摺動トルクを持って回転可能な状態で外挿される連結筒部６８と、連結筒部６８の外周面から垂直方向に突出し、ペン保持孔７０ａが開口形成された保持アーム７０とを有する。連結筒部６８をホルダ本体４２（外筒５２）に対して回転させることにより、保持アーム７０を所望の回転位置に回動させることができる。これにより、ペン保持孔７０ａにペン先を挿入保持させたペン１６の保持姿勢を所望の角度姿勢に変更することができる。つまり、ペン保持部４４の保持アーム７０及び連結筒部６８は、ペン１６の保持姿勢を変更する姿勢変更部となる。このような回動機構を備えるペン保持部４４は、上記第１の実施形態に係るペンホルダ１０の接続部３４と共に用いても勿論よい。
【００４６】
次に、このようなペンホルダ１０Ａの携帯用情報機器１２の接続口３２への接続動作及びペンホルダ１０Ａを接続口３２に接続した状態での盗難防止具３０の接続動作について説明する。
【００４７】
先ず、図７（Ａ）及び図９に示すように、ペンホルダ１０Ａは初期状態では、スライダ５０のアーム部５８ａが制御孔６６の回転許可部６６ａの始端にあり、接続部４０を構成するキー部５６とガイド片６４とが互いに一体的な板形状を構成した初期位置にある。
【００４８】
この初期位置にある接続部４０を携帯用情報機器１２の接続口３２に挿入すると、接続部４０では、キー部５６のロック棒５６ａのみが接続口３２の壁部を通過し、ガイド片６４は接続口３２の壁部に係合した状態となる（図９参照）。この状態から操作部４６を所定方向に９０度回転させる。すなわち、ホルダ本体４２では、外筒５２のガイド片６４が接続口３２に係合した状態にあるため、操作部４６を回転させた場合には内筒４８及びスライダ５０が一体的に回転し、スライダ５０のアーム部５８ａが制御孔６６の回転許可部６６ａを摺動する。具体的には、操作部４６を初期状態から９０度回転させると、アーム部５８ａは回転許可部６６ａの始端から終端まで移動する（図１０参照）。
【００４９】
その結果、キー部５６がガイド片６４に対して９０度回転することで、ロック棒５６ａがガイド片６４に対して直交した位置となり、両者が十字状の接続位置となる（図７（Ｂ）及び図１０参照）。これにより、ペンホルダ１０Ａが接続口３２に対して抜け止めされると共にがたつきなく安定して接続された状態となる。そこで、保持アーム７０を所望の角度位置としてペン保持孔７０ａにペン１６を挿入保持することで、ペン１６を筐体１８の側部で所望の角度姿勢、例えば図４（Ａ）及び図４（Ｂ）に示すような各姿勢で保持することができる。
【００５０】
次に、このように接続口３２に接続されたペンホルダ１０Ａに対して盗難防止具３０を接続する場合には、内筒４８の操作部４６に開口形成された接続口４６ａに盗難防止具３０のロックキー部３０ａを挿入する。そうすると、このロックキー部３０ａに押圧され、スライダ５０が摺動穴４８ａ内を弾性体６０の付勢力に抗して先端側へと移動し、アーム部５８ａが制御孔６６の回転規制部６６ｂを終端まで移動する（図７（Ｂ）及び図１１参照）。これにより、アーム部５８ａを介して内筒４８、スライダ５０及び外筒５２が相対回転不能な状態で一体的に構成されるため、操作部４６の回転が不能となり、ペンホルダ１０Ａの接続口３２からの取外しが不能な状態となる。
【００５１】
そこで、接続口４６ａを通過したロックキー部３０ａを所定の鍵を用いて９０度回転させると、ロックキー部３０ａが操作部４６に係合し、ロックキー部３０ａがペンホルダ１０Ａに対して抜け止めされてロックされた状態となる（図７（Ｂ）参照）。その結果、盗難防止具３０がペンホルダ１０Ａを介して接続口３２にロックされた状態となり、盗難防止具３０を通常通りに使用することが可能となる。つまり、ペンホルダ１０Ａは、盗難防止具３０を使用することで接続部４０の接続口３２からの離脱を阻止するロック機構を備えている。
【００５２】
次に、ペンホルダ１０Ａを接続口３２から取り外す際には、ロックキー部３０ａを所定の鍵を用いて逆方向に９０度回転させ、盗難防止具３０をペンホルダ１０Ａから取り外す。そうすると、スライダ５０が弾性体６０の付勢力によって制御孔６６の回転規制部６６ｂを始端まで戻るため、操作部４６を逆方向に９０度回転させる。これにより、接続部４０が再び初期位置に戻るため、接続部４０を接続口３２から引き抜くことでペンホルダ１０Ａを筐体１８から取り外すことができる。
【００５３】
図１２は、本発明の第３の実施形態に係るペンホルダ１０Ｂの構成を示す分解斜視図であり、図１３（Ａ）〜図１３（Ｃ）は、図１２に示すペンホルダ１０Ｂを携帯用情報機器１２の接続口３２に接続する動作を示す図である。また、図１４（Ａ）及び図１４（Ｂ）は、図１２に示すペンホルダ１０Ｂのロック動作及びロック解除動作の構成例を模式的に示した断面図である。なお、この第３の実施形態に係るペンホルダ１０Ｂにおいて、上記した第１及び第２の実施形態に係るペンホルダ１０，１０Ａと同一又は同様な機能及び効果を奏する要素には同一の参照符号を付して詳細な説明を省略する。
【００５４】
本実施形態に係るペンホルダ１０Ｂは、上記したペンホルダ１０Ａと同様、携帯用情報機器１２の側面に設けられた既設の盗難防止具３０用の接続口３２に接続して使用するものである。図１２及び図１３（Ａ）に示すように、ペンホルダ１０Ｂは、接続口３２に対して接続可能な接続部４０を有するホルダ基部８０と、ホルダ基部８０に対して連結されたペン保持部３６とを備える。このペンホルダ１０Ｂにおいても、接続部４０を有するホルダ基部８０とペン保持部３６とは連結構造で構成され、一定の外力が与えられた際に分離する。
【００５５】
ホルダ基部８０は、一面から接続部４０が突出した矩形箱状に構成されている。接続部４０は、ホルダ基部８０に一体的に設けられたキー部５６と、ホルダ基部８０及びキー部５６に対して相対回転可能に設けられたガイド部８２の一対のガイド片６４，６４で構成されている。
【００５６】
ガイド部８２は、キー部５６と同軸に設けられている（図１４参照）。キー部５６の回転位置により、キー部５６とガイド片６４とは、互いに一体的な板形状を構成する初期位置（アンロック位置）（図１２、図１３（Ａ）及び図１３（Ｂ）参照）と、ロック棒５６ａとガイド片６４とが直交して十字状になる接続位置（ロック位置）（図１３（Ｃ）参照）とに切り換わる。
【００５７】
ガイド部８２の外周面には弾性体８４で弾性支持されたロックピン８６が設けられている（図１４（Ａ）及び図１４（Ｂ）参照）。ロックピン８６は、接続部４０が初期位置にある状態ではホルダ基部８０の内周面に摺接しており（図１４（Ａ）参照）、接続部４０が接続位置とされた状態ではホルダ基部８０の周壁部に設けられた孔部８０ａに係合する（図１４（Ｂ）参照）。ホルダ基部８０には、この孔部８０ａに係合したロックピン８６を押圧可能な解除ボタン８０ｂが、図示しない弾性体によって外面から出没可能な状態で弾性支持されている。
【００５８】
このようなペンホルダ１０Ｂでは、ペン保持部３６に代えて、回動機構を備える上記第２の実施形態に係るペンホルダ１０Ａのペン保持部４４を適用しても勿論よい。
【００５９】
次に、このようなペンホルダ１０Ｂを携帯用情報機器１２の接続口３２へ接続する接続動作について説明する。
【００６０】
先ず、図１３（Ａ）に示すように、ペンホルダ１０Ｂは初期状態では、接続部４０を構成するキー部５６とガイド片６４とが互いに一体的な板形状を構成した初期位置にある。
【００６１】
この初期位置にある接続部４０を携帯用情報機器１２の接続口３２に挿入すると、接続部４０では、キー部５６のロック棒５６ａのみが接続口３２の壁部を通過し、ガイド片６４は接続口３２の壁部に係合した状態となる（図１３（Ｂ）参照）。この状態から、ホルダ基部８０（及びペン保持部３６）を所定方向に９０度回転させる。
【００６２】
すなわち、ホルダ基部８０を初期状態から９０度回転させると、キー部５６がガイド片６４に対して９０度回転し、両者が十字状の接続位置となる（図１３（Ｃ）参照）。これにより、ペンホルダ１０Ｂが接続口３２に対して抜け止めされると共に、がたつきなく安定して接続された状態となる。この際、ガイド部８２のロックピン８６がホルダ基部８０の孔部８０ａに係合してロックされるため（図１４（Ｂ）参照）、ホルダ基部８０とガイド部８２との相対回転が不能となり、ホルダ基部８０が意図せずに回転することが防止される。そこで、保持アーム７０を所望の角度位置としてペン保持孔７０ａにペン１６を挿入保持することで、ペン１６を筐体１８の側部で所望の角度姿勢、例えば図４（Ａ）及び図４（Ｂ）に示すような各姿勢で保持することができる。
【００６３】
次に、ペンホルダ１０Ｂを接続口３２から取り外す際には、ホルダ基部８０の解除ボタン８０ｂを押下操作する（図１４（Ｂ）参照）。そうすると、解除ボタン８０ｂに押圧されてロックピン８６が孔部８０ａから離脱することでロック状態が解除されるため、そのままホルダ基部８０（及びペン保持部３６）を逆方向に９０度回転させる。これにより、接続部４０が再び初期位置に戻るため、接続部４０を接続口３２から引き抜くことでペンホルダ１０Ｂを筐体１８から取り外すことができる。
【００６４】
以上のように、上記実施形態に係るペンホルダ１０（１０Ａ，１０Ｂ）は、携帯用情報機器１２の筐体１８に設けられた機器接続用の既設の接続ポートである雌コネクタ２８（接続口３２）に対して接続可能な接続部３４（４０）と、ペン１６を保持可能なペン保持部３６（４４）とを備える。
【００６５】
従って、通常、一般的なノート型ＰＣ等の携帯用情報機器１２に標準で設けられている既設の接続ポートを利用してペンホルダ１０（１０Ａ，１０Ｂ）を設けることができる。これにより、携帯用情報機器１２の小型化・薄型化に影響を及ぼすことなくペン１６を保持することができるようになる。しかも、ペンホルダ１０（１０Ａ，１０Ｂ）は、同種の接続ポートを備えた携帯用情報機器であれば利用することができるため、高い汎用性を得ることができる。
【００６６】
なお、本発明は、上記した実施形態に限定されるものではなく、本発明の主旨を逸脱しない範囲で自由に変更できることは勿論である。
【００６７】
例えば上記実施形態では、ペンホルダの接続対象となる既設の接続ポートとして雌コネクタ２８及び盗難防止具３０の接続口３２を例示したが、ペンホルダの接続対象としては携帯用情報機器に備えられている既設の接続ポートであれば他でもよく、例えばイヤホンやマイクの接続口やネットワーク関連の接続口等でもよい。
【符号の説明】
【００６８】
１０，１０Ａ，１０Ｂ  ペンホルダ
１２  携帯用情報機器
１４  電子機器
１６  ペン
１６ａ  ペン先
１８  筐体
２８  雌コネクタ
３０  盗難防止具
３０ａ  ロックキー部
３２，４６ａ  接続口
３４，４０  接続部
３６，４４  ペン保持部
３６ａ  横保持孔
３６ｂ  縦保持孔
４２  ホルダ本体
４６  操作部
４８  内筒
５０  スライダ
５２  外筒
５３  外カバー
５６  キー部
５６ａ  ロック棒
６６  制御孔
６８  連結筒部
７０  保持アーム
７０ａ  ペン保持孔
８０  ホルダ基部
８２  ガイド部 
【図１】
0006023240.tif 000002
【図２】
0006023240.tif 000003
【図３】
0006023240.tif 000004
【図４】
0006023240.tif 000005
【図５】
0006023240.tif 000006
【図６】
0006023240.tif 000007
【図７】
0006023240.tif 000008
【図８】
0006023240.tif 000009
【図９】
0006023240.tif 000010
【図１０】
0006023240.tif 000011
【図１１】
0006023240.tif 000012
【図１２】
0006023240.tif 000013
【図１３】
0006023240.tif 000014
【図１４】
0006023240.tif 000015